(57)【要約】【課題】古い既設の軒樋をそのまま残し、その内面に新造の軒樋を嵌め込んで施工することにより、軒樋全体を取り換えるよりも短い工期で安価に軒樋を再生させることができる軒樋のリフォーム方法を提供する。【解決手段】建物１に取り付けられている既設の軒樋３をそのまま使用し、この既設の軒樋３の内側に新造の軒樋１１を嵌め込んで固定し、新造の軒樋１１に長さ方向の勾配を持たせ、新造の軒樋１１の勾配の低い位置に設けた落とし口を壁面に沿って取付けられている既設の縦樋と接続処理する。【選択図】図２
2008101448.tif 000002
【特許請求の範囲】
【請求項１】
建物に取り付けられている既設の軒樋をそのまま使用し、この既設の軒樋の内側に既設の軒樋の内部に納まる断面形状の新造の軒樋を嵌め込んで施工することを特徴とする軒樋のリフォーム方法。
【請求項２】
上記既設の軒樋の内部に、新造の軒樋を受けるための勾配金具を、既設の軒樋の長さ方向に所定間隔の配置で固定し、この勾配金具における新造の軒樋を受ける部分の高さを調整することにより、新造の軒樋に長さ方向への勾配をもたせるようにすることを特徴とする請求項１に記載の軒樋のリフォーム方法。
【請求項３】
上記新造の軒樋内の上部に嵌め込んだ樋固定金具の端部を既設の軒樋の上部に固定することにより、既設の軒樋に対して新造の軒樋を固定することを特徴とする請求項１又は２に記載の軒樋のリフォーム方法。
【請求項４】
上記新造の軒樋の勾配の低い位置に設けた落とし口を既設の縦樋と接続処理する請求項１乃至３の何れかに記載の軒樋のリフォーム方法。
【発明の詳細な説明】
【技術分野】
【０００１】  この発明は、建物の軒先等に取り付けられている軒樋が、経年によって劣化したり雨漏りが生じたりしたときに、軒樋の機能を低コストで復元させるための軒樋のリフォーム方法に関する。
【背景技術】
【０００２】  例えば、建物に取付ける樋には、建物の屋根における軒先に樋受けを用いて取り付けられる断面溝形の軒樋と、軒樋と接続した状態で壁面等に縦の状態で取付けられ、軒樋で集めた雨水を地上に導く筒状の縦樋がある。【０００３】  上記軒樋は、軒先に取付けられているので風雨や日光に曝され、このため、経年による劣化の進行が早く、強度が低下するだけでなく、劣化が進めば腐食等によって孔が開き、雨水が漏れる等の事態が発生する。【０００４】  従来、経年による劣化や腐食が進行した軒樋のリフォームは、全体を新品に取り代えることによって行われている。
【発明の開示】
【発明が解決しようとする課題】
【０００５】  ところで、軒樋を新品に取り換える従来の方法は、古い軒樋を全て取り外したあとに新品の軒樋を取付ける必要があり、このため、その取り換えに手間と時間がかかるだけでなく、新品の軒樋を購入する費用が高く付き、また、取り外した古い軒樋がゴミとなるため、その処理に別途経費がかかることになる。【０００６】  そこで、この発明の課題は、古い既存の軒樋をそのまま残し、その内側に新造の軒樋を嵌め込んで施工することにより、全体を新品の軒樋と取り換えるよりも短い工期で安価に軒樋を再生させることができる軒樋のリフォーム方法を提供することにある。
【課題を解決するための手段】
【０００７】  上記のような課題を解決するため、この発明は、建物に取り付けられている既設の軒樋をそのまま使用し、この既設の軒樋の内側に既設の軒樋の内部に納まる断面形状の新造の軒樋を嵌め込んで施工する構成を採用したものである。【０００８】  上記既設の軒樋の内部に、新造の軒樋を受けるための勾配金具を、既設の軒樋の長さ方向に所定間隔の配置で固定し、この勾配金具における新造の軒樋を受ける部分の高さを調整することにより、新造の軒樋に長さ方向への勾配をもたせるようにすることができる。【０００９】  また、上記新造の軒樋内の上部に嵌め込んだ樋固定金具の端部を既設の軒樋の上部に固定することにより、既設の軒樋に対して新造の軒樋を固定するようにしたり、上記新造の軒樋の勾配の低い位置に設けた落とし口を既設の縦樋と接続処理する構成を採用することもできる。【００１０】  ここで、新造の軒樋は、金属板を折り曲げ加工することによって既設の軒樋の内側に丁度嵌り込む断面形状を有し、複数の中間樋と両端に配置する端部樋を順次防水状に接続することで必要な長さに形成され、軒樋の再生において、既設の軒樋をそのまま使用し、予め既設の軒樋の内側に勾配金具を長さ方向に、新造の軒樋の接続部や中央部を支持できる所定の間隔で固定し、勾配金具の新造の軒樋を受ける部分をスペーサによって高さ調節し、新造の軒樋は屋根の上で全長を組み立てた後、既設の軒樋の内面に嵌め込むことによって組み込み、勾配金具での支持によって新造の軒樋に勾配を持たせる。【００１１】  この後、新造の軒樋内の上部に嵌め込んだ樋固定金具の端部を既設の軒樋の上部にビスで固定することにより、既設の軒樋に対して新造の軒樋を固定する。【００１２】  また、新造の軒樋の勾配の低い位置には、嵌め込み前に予め落とし口を設けておき、既設の軒樋内に嵌め込んだ後、縦樋と接続処理すればよい。【００１３】  上記のように、既設の軒樋をそのまま使用することで、その取外しの手間がいらないだけでなく、取外した古い軒樋によるゴミの発生がなく、既設の軒樋をそのまま使用すれば、内側に嵌める新造の軒樋に強度が要求されず、新造の軒樋は新品の軒樋に比べてコスト的に安価である。
【発明の効果】
【００１４】  この発明によると、既設の軒樋の内側に新造の軒樋を嵌め合わせて取付けることにより、既設の軒樋を再生するようにしたので、既設の軒樋をそのまま使用することにより、その取外しの手間がいらないだけでなく、取外した古い軒樋によるゴミの発生がなく、全体を新品の軒樋と取り換えるよりも短い工期で安価に軒樋を再生させることができる。【００１５】  また、新造の軒樋を既設の軒樋に嵌め込んで機能を再生させることにより、既設の軒樋をそのまま使用することができ、既設の軒樋を補強することで強度的に問題のない仕上がりとなり、内側に嵌める新造の軒樋に大きな強度が要求されず、新造の軒樋は新品の軒樋に比べてコスト的に安価なものでよく、既設の軒樋を安い費用でリフォームすることができる。
【発明を実施するための最良の形態】
【００１６】  以下、この発明の実施の形態を添付図面に基づいて説明する。【００１７】  図３と図６（ａ）は、建物１の屋根２における軒先に設けられている既設の軒樋３の一例を示し、軒樋３は、建物１の壁面に所定の間隔で固定した樋受け金具４で支持され、底壁３ａとその両側縁に設けた起立側壁３ｂで断面上向きコ字状に形成され、建物側の起立側壁３ｂの上端は、内面側が建物１に固定した係止杆５に係合し、建物１と反対側の起立側壁３ｂの上端に外方へ折れ曲がるよう設けた張り出し壁６の先端に垂下壁７が設けられ、この垂下壁７と建物１と反対側の起立側壁３ｂで樋受け金具４の先端に設けた屈曲突起部４ａを挟み、垂下壁７の下部が軒先天井板８の先端にビスで固定されている。【００１８】  上記既設の軒樋３は、その途中や端部に設けたドレンが、図５（ｂ）で示した壁面等に取付けられた縦樋９に接続され、軒樋３で集めた雨水を地上に導くようになっている。【００１９】  上記既設の軒樋３をリフォームするため、この発明は、新造の軒樋１１と勾配金具１２、樋固定金具１３、既設の軒樋３の張り出し壁６の上部を覆って仕上げるパラペット１４等を使用する。【００２０】  ここで、新造の軒樋１１は、図４と図５のように、複数の中間樋１１ａと両端に配置する端部樋１１ｂを順次防水状に接続することで必要な長さに形成され、これら中間樋１１ａと端部樋１１ｂは、薄い金属板を折り曲げ加工することによって既設の軒樋３の内側に丁度嵌り込む断面形状に形成される。【００２１】  上記中間樋１１ａは、図４のように予め断面Ｌ字形に形成され、現場において底部を同図４の破線の位置で折り曲げることにより、既設の軒樋３の内部に丁度納まる断面上向きコ字状に加工される。【００２２】  また、端部樋１１ｂは、図４のように、中間樋１１ａと同様の断面形状となる上向きコ字状に加工され、非接続側の端部を折り曲げ加工することによって閉鎖されている。【００２３】  上記中間樋１１ａ相互の接続及び中間樋１１ａと端部樋１１ｂの接続は、例えば４０ｍｍ程度の長さをラップさせ、このラップ部分を接着剤で接続すると共に、上側段差の部分にシール材を施すようにする。【００２４】  上記新造の軒樋１１は、既設の軒樋３に組み合わせ使用するため、あまり強度が要求されず、厚みの薄いものでよいため、軽量で新品の軒樋に比べてコスト的に安価に製作することができるという利点がある。【００２５】  上記勾配金具１２は、図８や図９のように、帯状金属板を用い、下杆１２ａと垂直杆１２ｂで既設の軒樋３の底壁３ａと建物と反対側の起立側壁３ｂの内面に重なるＬ字形に形成され、垂直杆１２ｂの上端に外方へ折り曲げた取り付け片１２ｃが、既設の軒樋３の張り出し壁６の上面にビス１５で固定される。【００２６】  既設の軒樋３内に新造の軒樋１１を嵌め込んだとき、新造の軒樋１１は底部が勾配金具１２の下杆１２ａ上に載ることになり、この下杆１２ａ上に重ねて取り付けるスペーサ１６の高さ方向の厚みを選択することにより、新造の軒樋１１に長さ方向への勾配を導入することができる。【００２７】  上記樋固定金具１３は、既設の軒樋３内に嵌め込んだ新造の軒樋１１を上方に抜けないように固定するものであり、帯状金属板を用い、水平杆１３ａと直立杆１３ｂでＬ字形に形成され、新造の軒樋１１の内部で上下方向の中間部に水平杆１３ａが位置するように直立杆１３ｂの長さが設定され、直立杆１３ｂの上端に外方へ折り曲げた取り付け片１３ｃが、既設の軒樋３の張り出し壁６の上面にビス１７で固定される。【００２８】  上記水平杆１３ａは上下二枚重ねとなり、ボルト、ナット１８と長孔によって新造の軒樋１１の幅方向に長さ調整自在とし、水平杆１３ａの先端を新造の軒樋１１における建物側の起立側壁１１ｄに当接させて突っ張り状とすることにより、新造の軒樋１１を上方に抜けないように固定すると共に、図８（ａ）のように、取り付け片１３ｃの先端に設けた延長片１３ｄにビス１９でパラペット１４を張り出し壁６の上部に固定配置することができるようになっている。【００２９】  次に、上記新造の軒樋を用いた既設軒樋のリフォーム方法を説明する。【００３０】  先ず、建物１の軒下に取り付けられている既設の軒樋３に溜まった落ち葉等取り除き、底に溜まった泥、水は掃除機等で取り除く清掃作業を行う。【００３１】  次に、既設の軒樋３にあるドレンの上部をバール等で除去して内部への突出物をなくし、この軒樋３の垂下壁７及び建物と反対側の起立側壁３ｂの上部で長さ方向の適宜位置にコアドリル等を用いてオーバーフロー管用の円形孔を開けておく。【００３２】  この後、図４のように、建物１の屋根２上に新造の軒樋１１の構成材料である中間樋１１ａと端部樋１１ｂを持ち上げ、これら構成材料を既設の軒樋３の長さ方向に沿って並べ、中間樋１１ａと端部樋１１ｂを適宜切断することにより新造の軒樋１１が既設の軒樋３の長さになるよう長さ合わせの調節をする。【００３３】  新造の軒樋１１の中間樋１１ａ相互及び中間樋１１ａと端部樋１１ｂの接続は、４０ｍｍ程度が互いにラップするように長さを設定し、このラップさせた部分を接着剤で接続すると共に、上側に重なる板の端部をシール剤でシールし、接続部分の防水性を向上させる。【００３４】  接続が完了すると、中間樋１１ａと端部樋１１ｂの底部板を折り曲げ、図５（ａ）のように、既設の軒樋３の長さに見合う断面コ字状の新造の軒樋１１を完成する。【００３５】  この新造の軒樋１１において、端部樋１１ｂの端部は折り曲げて閉鎖し、既設の軒樋３の落とし口とオーバーフロー管の位置に合わせてそれぞれ円形孔を開けておく。【００３６】  次に、既設の軒樋３に勾配金具１２を長さ方向に間隔を設けてビス１５で取り付ける。この勾配金具１２の配置は、図５（ａ）のように、一列に接続した新造の軒樋１１の各ジョイント部とセンター部にくるように設定する。【００３７】  各勾配金具１２の下杆１２ａ上にはスペーサ１６を取り付け、各勾配金具１２で新造の軒樋１１を支持した時、図５（ｂ）のように、新造の軒樋１１は縦樋９間の真ん中から縦樋に向かって３／１００程度の勾配になるようにスペーサ１６の重ねる枚数を調整する。【００３８】  図７（ａ）乃至（ｃ）のように、一列に接続した新造の軒樋１１の建物側の側壁１１ｄを底壁１１ｃに重なるように全体を断面Ｌ字状にした状態で、新造の軒樋１１を既設の軒樋３内に回転させながら落とし込み、その底壁１１ｃを勾配金具１２の下杆１２ａ上に設け��スペーサ１６上に載置した状態で、折り畳んだ建物側の側壁１１ｄを広げて元に戻し、新造の軒樋１１を正規の断面形状に戻すことにより、既設の軒樋３内に新造の軒樋１１を納める。【００３９】  新造の軒樋１１を既設の軒樋３内に納めると、図１のように、建物と反対側の側壁１１ｂに設けた円形孔にオーバーフロー管２０を接続し、底壁１１ｃの落とし口を縦樋とドレンパイ部で防水状に接続し、図６（ｃ）のように、既設の軒樋３と新造の軒樋１１の上部をゴムテープ２１の貼り付けによって防水処理する。【００４０】  この後、樋固定金具１３を既設の軒樋３の張り出し壁６の上面にビス１７で固定し、その水平杆１３ａの先端を新造の軒樋１１における建物側の起立側壁１１ｄに当接させて突っ張り状とすることにより、新造の軒樋１１を上方に抜けないように固定すると共に、取り付け片１３ｃの先端に設けた延長片１３ｄにビス１９でパラペット１４を張り出し壁６の上部に固定配置することにより、図１と図２で示すように、新造の軒樋１１による既設の軒樋３のリフォームが完了する。【００４１】  上記のように、古い既設の軒樋３をそのまま残し、その内面に新造の軒樋１１を嵌め込んで施工することにより、古い既設の軒樋３全体を取り換えるよりも短い工期で安価に軒樋を再生させることができる。【００４２】  なお、図示の実施の形態では、断面コ字状となる既設の軒樋３の再生を例示したが、断面半円筒状の既設の軒樋に対しても、その内側に断面半円筒状の新造の軒樋をはめ込んで取り付けることにより、リフォームを行うことができる。
【図面の簡単な説明】
【００４３】
【図１】既設の軒樋に対するリフォーム後の完成状態を示す縦断側面図
【図２】既設の軒樋に対するリフォーム後の完成状態を示す斜視図
【図３】既設の軒樋の構造を示す縦断側面図
【図４】既設の軒樋と組み立て前の新造の軒樋を示す分解斜視図
【図５】（ａ）は既設の軒樋に対する勾配金具の配置と新造の軒樋の関係を示す分解斜視図、（ｂ）は勾配金具によって新造の軒樋に付与する勾配の関係を示す斜視図
【図６】既設の軒樋に対して新造の軒樋でリフォームする工程の順番を示し、（ａ）は既設の軒樋にオーバーフロー孔を設けた縦断側面図、（ｂ）は既設の軒樋に勾配金具を取付けた状態の縦断側面図、（ｃ）は既設の軒樋に新造の軒樋を嵌め込んだ状態の縦断側面図、（ｄ）は樋固定金具を取付けた状態の縦断側面図
【図７】（ａ）乃至（ｃ）は既設の軒樋内に新造の軒樋を嵌め込む工程を順番に示す縦断側面図
【図８】（ａ）はリフォーム後の完成状態において、図５（ｂ）におけるＡの位置での拡大した縦断側面図、（ｂ）は同じく図５（ｂ）におけるＢの位置での拡大した縦断側面図
【図９】（ａ）はリフォーム後の完成状態において、図５（ｂ）におけるＣの位置での拡大した縦断側面図、（ｂ）は同じく図５（ｂ）におけるＤの位置での拡大した縦断側面図
【符号の説明】
【００４４】１        建物
２        屋根
３        既設の軒樋
４        樋受け金具
５        係止杆
６        張り出し壁
７        垂下壁
８        軒先天井板
１１      新造の軒樋
１２      勾配金具
１３      樋固定金具
１４      パラペット
１５      ビス
１６      スペーサ
１７      ビス
１８      ボルト、ナット
１９      ビス
【図１】
2008101448.tif 000003
【図２】
2008101448.tif 000004
【図３】
2008101448.tif 000005
【図４】
2008101448.tif 000006
【図５】
2008101448.tif 000007
【図６】
2008101448.tif 000008
【図７】
2008101448.tif 000009
【図８】
2008101448.tif 000010
【図９】
2008101448.tif 000011